【手続補正書】
【提出日】平成19年1月25日(2007.1.25)
【手続補正１】
【補正対象書類名】明細書
【補正対象項目名】特許請求の範囲
【補正方法】変更
【補正の内容】
【特許請求の範囲】
【請求項１】  遊技者の遊技に関する遊技関連情報を収集する収集手段と、
少なくとも催事の実施期間を含む催事に関する催事情報を受付けて登録する催事情報登録手段と、
該催事情報登録手段にて登録された催事情報に該当する催事の開始以前における所定の集計対象期間に前記収集手段にて収集した前記遊技関連情報を集計するとともに、前記登録された催事情報に該当する催事の開始以降における所定の集計対象期間に前記収集手段にて収集した前記遊技関連情報を集計する集計手段と、
該集計手段にて集計した催事開始以前の集計結果と催事開始以降の集計結果とを対比可能に出力する出力手段と、
前記催事の開始以前における集計対象期間および催事の開始以降における集計対象期間の少なくとも一方を設定変更する集計対象期間設定手段と、
を備えることを特徴とする遊技用管理装置。
【請求項２】  前記収集手段にて収集する遊技関連情報は、遊技者が遊技を行った遊技機を特定可能な情報を含み、予め定められた所定の遊技機のグループ単位毎に前記遊技関連情報を集計する請求項１に記載の遊技用管理装置。
【請求項３】  前記収集手段にて収集する遊技関連情報は、遊技者が遊技を行った遊技機または遊技機に対応して設けられる前記遊技用装置を特定可能な情報を含み、前記遊技関連情報の集計を各遊技機毎または前記遊技用装置毎に実施する請求項１または２に記載の遊技用管理装置。
【手続補正２】
【補正対象書類名】明細書
【補正対象項目名】０００５
【補正方法】変更
【補正の内容】
【０００５】
【課題を解決するための手段】
前記した問題を解決するために、本発明の遊技用管理装置は、
遊技者の遊技に関する遊技関連情報を収集する収集手段と、
少なくとも催事の実施期間を含む催事に関する催事情報を受付けて登録する催事情報登録手段と、
該催事情報登録手段にて登録された催事情報に該当する催事の開始以前における所定の集計対象期間に前記収集手段にて収集した前記遊技関連情報を集計するとともに、前記登録された催事情報に該当する催事の開始以降における所定の集計対象期間に前記収集手段にて収集した前記遊技関連情報を集計する集計手段と、
該集計手段にて集計した催事開始以前の集計結果と催事開始以降の集計結果とを対比可能に出力する出力手段と、
前記催事の開始以前における集計対象期間および催事の開始以降における集計対象期間の少なくとも一方を設定変更する集計対象期間設定手段と、
を備えることを特徴としている。
この特徴によれば、少なくとも前記催事の実施期間を含む催事に関する催事情報を入力することで、該入力した催事の催事前後の前記遊技関連情報が集計されて対比可能に出力されるようになるため、これら催事（イベント）の効果を簡便に確認することができる。また、集計対象期間を設定することで、所望する集計対象期間での集計結果による比較を実施できるようになる。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】０２３４
【補正方法】変更
【補正の内容】
【０２３４】
前記実施例における各要素は、本発明に対して以下のように対応している。
本発明の請求項１は、
遊技者の遊技に関する遊技関連情報（カード挿入（来店）、消費（売上）、入金、会員補給球数（ＩＮ）、会員アウト球数、特賞回数、プレミアムリーチ、補給球総数、アウト球総数等）を収集する収集手段（第１通信部１０９，１２９、第２通信部１１０，１３０）と、
少なくとも催事の実施期間を含む催事に関する催事情報を受付けて登録する催事情報登録手段（入力装置１２６；イベント登録画面）と、
該催事情報登録手段にて登録された催事情報に該当する催事の開始以前における所定の集計対象期間に前記収集手段にて収集した前記遊技関連情報を集計するとともに、前記登録された催事情報に該当する催事の開始以降における所定の集計対象期間に前記収集手段にて収集した前記遊技関連情報を集計する集計手段（ＣＰＵ１２２）と、
該集計手段にて集計した催事開始以前の集計結果と催事開始以降の集計結果とを対比可能に出力する出力手段（表示装置１２７、プリンタ１２８）と、
前記催事の開始以前における集計対象期間および催事の開始以降における集計対象期間の少なくとも一方を設定変更する集計対象期間設定手段（入力装置１２６；イベント登録画面）と、
を備える。
【手続補正１５】
【補正対象書類名】明細書
【補正対象項目名】０２３５
【補正方法】削除
【補正の内容】
【手続補正１６】
【補正対象書類名】明細書
【補正対象項目名】０２３６
【補正方法】削除
【補正の内容】
【手続補正１７】
【補正対象書類名】明細書
【補正対象項目名】０２３７
【補正方法】削除
【補正の内容】
【手続補正１８】
【補正対象書類名】明細書
【補正対象項目名】０２３８
【補正方法】削除
【補正の内容】
【手続補正１９】
【補正対象書類名】明細書
【補正対象項目名】０２３９
【補正方法】削除
【補正の内容】
【手続補正２０】
【補正対象書類名】明細書
【補正対象項目名】０２４０
【補正方法】削除
【補正の内容】
【手続補正２１】
【補正対象書類名】明細書
【補正対象項目名】０２４１
【補正方法】削除
【補正の内容】
【手続補正２２】
【補正対象書類名】明細書
【補正対象項目名】０２４２
【補正方法】削除
【補正の内容】
【手続補正２３】
【補正対象書類名】明細書
【補正対象項目名】０２４３
【補正方法】変更
【補正の内容】
【０２４３】
本発明の請求項２は、前記収集手段（第１通信部１０９，１２９、第２通信部１１０，１３０）にて収集する遊技関連情報は、遊技者が遊技を行った遊技機を特定可能な情報（装置ＩＤ）を含み、予め定められた所定の遊技機のグループ単位（図４６；遊技機種別、図４７；遊技島別）毎に前記遊技関連情報を集計する。
【手続補正２４】
【補正対象書類名】明細書
【補正対象項目名】０２４４
【補正方法】変更
【補正の内容】
【０２４４】
本発明の請求項３は、前記収集手段（第１通信部１０９，１２９、第２通信部１１０，１３０）にて収集する遊技関連情報は、遊技者が遊技を行った遊技機または遊技機に対応して設けられる前記遊技用装置を特定可能な情報（装置ＩＤ）を含み、前記遊技関連情報の集計を各遊技機毎または前記遊技用装置毎（図４８；遊技機別）に実施する。
【手続補正２５】
【補正対象書類名】明細書
【補正対象項目名】０２４５
【補正方法】削除
【補正の内容】
【手続補正２６】
【補正対象書類名】明細書
【補正対象項目名】０２４６
【補正方法】削除
【補正の内容】
【手続補正２７】
【補正対象書類名】明細書
【補正対象項目名】０２４７
【補正方法】削除
【補正の内容】
【手続補正２８】
【補正対象書類名】明細書
【補正対象項目名】０２９９
【補正方法】変更
【補正の内容】
【０２９９】
【発明の効果】
本発明は次の効果を奏する。
（ａ）請求項１の発明によれば、少なくとも前記催事の実施期間を含む催事に関する催事情報を入力することで、該入力した催事の催事前後の前記遊技関連情報が集計されて対比可能に出力されるようになるため、これら催事（イベント）の効果を簡便に確認することができる。また、集計対象期間を設定することで、所望する集計対象期間での集計結果による比較を実施できるようになる。
【手続補正２９】
【補正対象書類名】明細書
【補正対象項目名】０３００
【補正方法】削除
【補正の内容】
【手続補正３０】
【補正対象書類名】明細書
【補正対象項目名】０３０１
【補正方法】削除
【補正の内容】
【手続補正３１】
【補正対象書類名】明細書
【補正対象項目名】０３０２
【補正方法】削除
【補正の内容】
【手続補正３２】
【補正対象書類名】明細書
【補正対象項目名】０３０３
【補正方法】削除
【補正の内容】
【手続補正３３】
【補正対象書類名】明細書
【補正対象項目名】０３０４
【補正方法】削除
【補正の内容】
【手続補正３４】
【補正対象書類名】明細書
【補正対象項目名】０３０５
【補正方法】削除
【補正の内容】
【手続補正３５】
【補正対象書類名】明細書
【補正対象項目名】０３０６
【補正方法】削除
【補正の内容】
【手続補正３６】
【補正対象書類名】明細書
【補正対象項目名】０３０７
【補正方法】削除
【補正の内容】
【手続補正３７】
【補正対象書類名】明細書
【補正対象項目名】０３０８
【補正方法】変更
【補正の内容】
【０３０８】
（ｂ）請求項２の発明によれば、前記遊技機のグループ毎に催事（イベント）の効果を確認できる。
【手続補正３８】
【補正対象書類名】明細書
【補正対象項目名】０３０９
【補正方法】変更
【補正の内容】
【０３０９】
（ｃ）請求項３の発明によれば、前記遊技機毎に催事（イベント）の効果を確認できる。
【手続補正３９】
【補正対象書類名】明細書
【補正対象項目名】０３１０
【補正方法】削除
【補正の内容】
【手続補正４０】
【補正対象書類名】明細書
【補正対象項目名】０３１１
【補正方法】削除
【補正の内容】
【手続補正４１】
【補正対象書類名】明細書
【補正対象項目名】０３１２
【補正方法】削除
【補正の内容】